(57)【要約】【課題】光を用いて発電し、発電した電力を有効利用する建具を提供する。【解決手段】建具１は、建具本体１０と、建具本体１０の一方の面に設けられ、光を用いて発電する発電部４０と、建具本体１０の他方の面に着脱可能に装着された装着ユニット７０とを有する。装着ユニット７０は、発電部４０により発電された電力を蓄電する蓄電部２０２と、蓄電部２０２により蓄電された電力を用いて所定の機能を発揮する電化部（例えば、制御部２０４と照明器具１１０とから構成される電気器具）とを有する。【選択図】図２
2011099199.tif 000002
【特許請求の範囲】
【請求項１】
建具本体と、
前記建具本体の一方の面に設けられ、光を用いて発電する発電部と、
前記建具本体の他方の面に着脱可能に装着された装着ユニットと
を有し、
前記装着ユニットは、
前記発電部により発電された電力を蓄電する蓄電部と、
前記蓄電部により蓄電された電力を用いて所定の機能を発揮する電化部と
を有する
建具。
【請求項２】
前記建具本体に設けられた二以上の接続部
をさらに有し、
前記装着ユニットは、いずれかの前記接続部を含む領域に装着された場合に、この接続部を介して、前記発電部から電力の供給を受けるように構成されてなる
請求項１に記載の建具。
【請求項３】
前記発電部は、前記建具本体の室外側に設けられ、太陽光を用いて電力を発電し、
前記装着ユニットは、前記建具本体の室内側に着脱可能に装着される
請求項１に記載の建具。
【請求項４】
前記建具本体は、骨組と半透明シートとを有するものであり、
前記装着ユニットは、
筐体を前記骨組に着脱可能に装着させる装着部
をさらに有する
請求項１に記載の建具。
【請求項５】
前記電化部は、前記建具本体の近傍を照らす照明器具である
請求項４に記載の建具。
【請求項６】
前記装着ユニットは、
筐体外部の照度を検知する照度検知部と、
前記照度検知部により検知された照度が所定の閾値より小さい場合には、前記蓄電部により蓄電された電力を用いて前記電化部を発光させ、前記照度検知部により検知された照度が所定の閾値より大きい場合には、前記電化部の発光を禁止する制御部と
をさらに有する
請求項５に記載の建具。
【請求項７】
前記装着ユニットは、
前記建具本体に前記装着ユニットが装着されているか否かを検知する着脱検知部と、
前記建具本体に前記装着ユニットが装着されていないと前記着脱検知部により検知された場合に、前記蓄電部により蓄電された電力を用いて前記電化部を発光させる制御部と
をさらに有する
請求項５に記載の建具。
【請求項８】
前記装着ユニットは、
装着ユニットの筐体において、振動を検知する振動検知部と、
少なくとも、前記振動検知部により検知された振動が所定の閾値より大きい場合には、前記蓄電部により蓄電された電力を用いて、前記振動検知部により振動が検知されていない場合とは異なるパターンで前記電化部を発光させる制御部と
をさらに有する
請求項５に記載の建具。
【請求項９】
筐体と、
この筐体を建具に着脱可能に装着させる装着部と、
前記筐体に設けられ、建具から電力を受け入れる電力入力部と、
前記電力入力部により受け入れた電力を蓄電する蓄電部と、
前記蓄電部に蓄電された電力を用いて所定の機能を発揮する電化部と
を有する装着ユニット。
【請求項１０】
建具に設けられた光発電装置が、光を用いて発電するステップと、
前記光発電装置により発電された電力を蓄電部に蓄電するステップと、
前記蓄電部を含む筐体が前記建具に装着されている場合には、前記蓄電部に接続された照明器具が、常夜灯として機能するステップと、
前記蓄電部を含む筐体が前記建具に装着されていない場合には、前記蓄電部に接続された照明器具が、懐中電灯として機能するステップと
を有する照明方法。
【発明の詳細な説明】
【技術分野】
【０００１】
本発明は、建具に関するものである。
【背景技術】
【０００２】
例えば、特許文献１には、羽根板部に太陽電池の機能を付加したブラインドが開示されている。
また、例えば、特許文献２には、建物の窓ガラスにフィルム状の色素増感太陽電池を室内側から透明接着剤を用いて貼り付け、この色素増感太陽電池の電極に電線を接続し、この電線を建物の室内側に配線した太陽光発電装置が開示されている。
また、例えば、特許文献３には、建物内部の換気を行うソーラーパネル付換気扇において、太陽光を採り入れて発電した電力を供給する発電部と、この発電部から供給された電力により換気を実施する換気扇本体部とを備えて構成し、発電部を、太陽光を採り入れて発電するソーラーパネルと、このソーラーパネルにより発電された電気を蓄電する蓄電器とを有する構成とし、換気扇本体部を、ソーラーパネルの発電により回転駆動するモータと、このモータの回転駆動により回転されるファンと、これらのモータ及びファンを保持すると共に建物の第１の被取り付け部位に着脱可能に装着する枠体とを備えた構成とし、発電部を支持するパネル支持部により、ソーラーパネルを太陽光が当たる位置となるように建物の第２の被取り付け部位に支持したソーラーパネル付換気扇が開示されている。
【先行技術文献】
【特許文献】
【０００３】
【特許文献１】特開２００６−３２２３００号公報
【特許文献２】特開２００９−１６７６６５号公報
【特許文献３】特開２００９−１０９０４３号公報
【発明の概要】
【発明が解決しようとする課題】
【０００４】
本発明は、光を用いて発電し、発電した電力を有効利用する建具を提供する。
【課題を解決するための手段】
【０００５】
本発明に係る建具は、建具本体と、前記建具本体の一方の面に設けられ、光を用いて発電する発電部と、前記建具本体の他方の面に着脱可能に装着された装着ユニットとを有し、前記装着ユニットは、前記発電部により発電された電力を蓄電する蓄電部と、前記蓄電部により蓄電された電力を用いて所定の機能を発揮する電化部とを有する。
【０００６】
好適には、前記建具本体に設けられた二以上の接続部をさらに有し、前記装着ユニットは、いずれかの前記接続部を含む領域に装着された場合に、この接続部を介して、前記発電部から電力の供給を受けるように構成されてなる。
【０００７】
好適には、前記発電部は、前記建具本体の室外側に設けられ、太陽光を用いて電力を発電し、前記装着ユニットは、前記建具本体の室内側に着脱可能に装着される。
【０００８】
好適には、前記建具本体は、骨組と半透明シートとを有するものであり、前記装着ユニットは、筐体を前記骨組に着脱可能に装着させる装着部をさらに有する。装着部は、例えば、骨組に嵌めるための筐体凹部である。
【０００９】
好適には、前記電化部は、前記建具本体の近傍を照らす照明器具である。
【００１０】
好適には、前記装着ユニットは、筐体外部の照度を検知する照度検知部と、前記照度検知部により検知された照度が所定の閾値より小さい場合には、前記蓄電部により蓄電された電力を用いて前記電化部を発光させ、前記照度検知部により検知された照度が所定の閾値より大きい場合には、前記電化部の発光を禁止する制御部とをさらに有する。
【００１１】
好適には、前記装着ユニットは、前記建具本体に前記装着ユニットが装着されているか否かを検知する着脱検知部と、前記建具本体に前記装着ユニットが装着されていないと前記着脱検知部により検知された場合に、前記蓄電部により蓄電された電力を用いて前記電化部を発光させる制御部とをさらに有する。
【００１２】
好適には、前記装着ユニットは、装着ユニットの筐体において、振動を検知する振動検知部と、少なくとも、前記振動検知部により検知された振動が所定の閾値より大きい場合には、前記蓄電部により蓄電された電力を用いて、前記振動検知部により振動が検知されていない場合とは異なるパターンで前記電化部を発光させる制御部とをさらに有する。
【００１３】
また、本発明に係る装着ユニットは、筐体と、この筐体を建具に着脱可能に装着させる装着部と、前記筐体に設けられ、建具から電力を受け取る電力入力部と、前記電力入力部により受け取られた電力を蓄電する蓄電部と、前記蓄電部に蓄電された電力を用いて所定の機能を発揮する電化部とを有する。
【００１４】
また、本発明に係る照明方法は、建具に設けられた光発電装置が、光を用いて発電するステップと、前記光発電装置により発電された電力を蓄電部に蓄電するステップと、前記蓄電部を含む筐体が前記建具に装着されている場合には、前記蓄電部に接続された照明器具が、常夜灯として機能するステップと、前記蓄電部を含む筐体が前記建具に装着されていない場合には、前記蓄電部に接続された照明器具が、懐中電灯として機能するステップとを有する。
【００１５】
懐中電灯としての機能とは、ユーザの消灯操作が無い限り、照明が点灯し続ける状態をいう。一方、常夜灯としての機能とは、周囲の明るさに応じて、照明が点灯又は照明する状態をいう。
【発明の効果】
【００１６】
本発明によれば、建具に当たる光を用いて発電し、発電した電力を有効利用することができる。
【図面の簡単な説明】
【００１７】
【図１】建具１を正面から見た模式図である。
【図２】建具１を背面から見た模式図である。
【図３】装着ユニット７０を正面から見た模式図である。
【図４】装着ユニット７０の機能構成２００を例示する図である。
【図５】変形例１における、装着ユニット７０の機能構成３００を例示する図である。
【図６】変形例２における、装着ユニット７０の機能構成４００を例示する図である。
【図７】変形例３における、装着ユニット７０の機能構成５００を例示する図である。
【図８】変形例４における、装着ユニット７０の機能構成６００を例示する図である。
【図９】変形例５における、装着ユニット７２を正面から見た模式図である。
【発明を実施するための形態】
【実施例１】
【００１８】
図１及び図２は、建具１を正面及び背面から見た模式図である。
図１及び図２に例示するように、建具１は、建具本体１０と、発電部４０と、装着ユニット７０とを有する。発電部４０は、建具本体１０の一方の面に設けられている。また、装着ユニット７０は、建具本体１０の他方の面に着脱可能に装着されている。本実施例では、発電部４０は、太陽光が当たる建具本体１０の室外側に設けられている。また、装着ユニット７０は、建具本体１０の室内側に着脱可能に装着されている。
【００１９】
建具本体１０は、建物の内部と外部、又は建物の内部を仕切る開閉可能なものである。例えば、建具本体１０は、戸、障子、襖、アルミサッシ、又はドアなどである。本実施例では、建具本体１０は、襖であり、さらに骨組２０と半透明シート３０とを設けられている。骨組２０は、格子状に組まれている。半透明シート３０は、この格子状に組まれた骨組２０に貼着されている。なお、骨組２０は、例えば、木又は樹脂などで形成される。また、半透明シートは、例えば、紙又は樹脂などで形成され、光を透過する。
【００２０】
発電部４０は、光を用いて発電する。例えば、発電部４０は、太陽電池などを用いて発電する。発電部４０により発電された電力は、電線５０を介して、接続部６０に導かれる。なお、電線５０は、建具本体１０の外部又は内部に配されればよいが、建具本体１０の外観を害さないように、建具本体１０の内部に配されることが好ましい。
接続部６０は、建具本体１０における任意の部位に設けられ、装着ユニット７０を装着される。なお、接続部６０は、建具本体１０に複数個設けられてもよい。各接続部６０は、電線５０を介して、相互に直列又は並列接続される。そして、接続部７０は、発電部４０により発電された電力を装着された装着ユニット７０に渡す。このとき、接続部７０が電力を装着ユニット７０に渡す手段は、特に限定するものではなく、例えば、コイル間の電磁誘導による非接触方式、又は電極端子を接触させる接触方式などを用いて実現されればよい。
本実施例では、接続部６０は、建具本体１０の骨組２０の４箇所に設けられ、電線５０を介して、相互に並列接続されている。接続部６０は、リード線により電線５０に接続している電極端子を有している。電極端子は、接続部６０に装着された装着ユニット７０の電力入力部１３０（図３を用いて後述する）に接触する。そして、接続部６０は、電極端子を介して、装着ユニット７０に、発電部４０により発電された電力を渡す。
【００２１】
装着ユニット７０は、装着した接続部６０から電力を受け取り、受け取った電力を蓄電する。そして、装着ユニット７０は、蓄電した電力を用いて、電化製品又は電化部品を機能させる。電化製品及び電化部品は、電力を供給されることにより、所定の機能を発揮するものである。本実施例では、装着ユニット７０は、電化製品の一例である照明器具１１０（図３を用いて後述）を、蓄電した電力を用いて発光させる。なお、本実施例における照明器具１１０は、ＬＥＤ豆電球である。
【００２２】
図３は、装着ユニット７０を正面から見た模式図である。
図３に例示するように、装着ユニット７０は、筐体１００と、照明器具１１０と、装着部１２０と、電力入力部１３０とを有する。なお、破線で表わされた装着部１２０及び電力入力部１３０は、装着ユニット７０の背面に設けられている。
【００２３】
筐体１００は、装着ユニット７０の外形を成す部分であり、例えば、建具本体１０（骨組など）と同じ材質で構成される。筐体１００には、照明器具１１０、装着部１２０、及び電力入力部１３０が設けられている。なお、筐体１００の形状は、特に限定するものではない。本実施例では、装着ユニット７０は、略台形台の形状に形成されている。
【００２４】
照明器具１１０は、装着ユニット７０に蓄電された電力を用いて発光する。本実施例では、照明器具１１０は、筐体１００の下方に設けられ、装着した建具本体１０の近傍を照らす。そして、照明器具１１０から発せられた光は、半透明シート３０に反射して、間接照明として室内を照らすと共に、半透明シート３０を透過して、建具１の室外側をも照らす。
【００２５】
装着部１２０は、接続部６０に装着ユニット７０を固定する。なお、装着部１２０が装着ユニット７０を接続部７０に固定する手段は、特に限定するものではなく、例えば、凸部と凹部を嵌合させる方法、磁力により接合させる方法、引っ掛ける方法、又は受け皿により支持する方法などを用いて実現されればよい。
本実施例では、装着部１２０は、接続部６０を設けられた骨組２０に嵌合する溝である。装着ユニット７０は、装着部１２０により、骨組２０に嵌合され、接続部６０に固定される。
【００２６】
電力入力部１３０は、接続部６０から電力を受け取る。本実施例では、電力入力部１３０は、電極端子である。装着ユニット７０が接続部７０に装着されると、電力入力部１３０の電極端子と接続部６０の電極端子とが、接触する。そして、電力入力部１３０は、接触した電極端子を介して、接続部６０から電力を受け取る。なお、電力入力部１３０が非接触で接続部６０から電力を受け取れられるように、電力入力部１３０及び接続部６０を構成してもよい。
【００２７】
図４は、装着ユニット７０の機能構成２００を例示する図である。
図４に例示するように、機能構成２００は、蓄電部２０２と、制御部２０４とを有する。なお、本実施例では、請求項に記載の電化部は、制御部２０４と、照明器具１１０とから構成される。また、蓄電部２０２及び制御部２０４は、装着ユニット７０の筐体１００内部に設けられた電気回路により実現される。
【００２８】
蓄電部２０２は、電力入力部１３０が接続部６０から受け取った電力を蓄電する。例えば、蓄電部２０２は、ニッカド電池、ニッケル水素電池、又はリチウムイオン電池などの二次電池であり、電力入力部１３０から入力される電力を蓄電する。蓄電部２０２は、コンデンサーなどであってもよい。なお、蓄電部２０２は、二次電池への過充電を防止するため、二次電池の端子電圧を監視し、二次電池の端子電圧が定格電圧以上に上昇したとき、二次電池への蓄電を停止することが好ましい。
【００２９】
制御部２０４は、蓄電部２０２により蓄電された電力を、電化製品又は電化部品に供給し、電化製品又は電化部品を機能させる。なお、制御部２０４は、電力を供給される電化製品又は電化部品が交流電流を必要とする場合、蓄電された電力を直流電流から交流電流に変換することが好ましい。
本実施例では、制御部２０４は、蓄電部２０２により蓄電された電力を、直流電流のまま照明器具１１０に供給し、照明器具１１０を発光させる。
【００３０】
以上のような構成により、建具１は、これまで見過ごされてきた建具本体１０の室外側に当たる太陽光を用いて、発電を行い、発電した電力を接続部６０に装着された装着ユニット７０に渡すことができる。そして、装着ユニット７０は、受け取った電力を蓄電し、蓄電した電力を用いて照明器具１１０などの電化製品又は電化部品を機能させることができる。
【００３１】
［変形例１］
図５は、変形例１における、装着ユニット７０の機能構成３００を例示する図である。
図５に例示するように、機能構成３００は、図４の機能構成２００に照度検知部３０６を追加したものである。なお、照度検知部３０６は、装着ユニット７０の筐体１００内部に設けられた電気回路により実現される。また、本図に示される各構成のうち、図４に示された各構成と実質的に同一のものには同一の符号が付されている。
以下、本図に示される各構成のうち、図４に示された構成と異なるものについて説明する。
【００３２】
照度検知部３０６は、筐体１００外部の照度を検知する。例えば、照度検知部３０６は、照度センサーなどを用いて照度を検知する。そして、照度検知部３０６は、検知した照度を制御部２０４に送信する。
制御部２０４は、照度検知部３０６から受信した照度が所定の閾値より小さい場合には、蓄電部２０２により蓄電された電力を、照明器具１１０に供給し、照明器具１１０を発光させる。また、制御部２０４は、照度検知部３０６から受信した照度が所定の閾値より大きい場合には、蓄電部２０２により蓄電された電力を、照明器具１１０に供給せず、照明器具１１０を発光させない。なお、「所定の閾値」は、通常、人が暗いと感じる照度の値であればよく、任意である。
【００３３】
以上のような構成により、装着ユニット７０は、建具１に太陽光が当たる日中は、接続部６０から渡される電力を蓄電し、建具１に太陽光が当たらない夜は、日中に蓄電された電力を用いて照明器具１１０を発光させることができる。つまり、装着ユニット７０は、夜になると、日中に発電した電力を用いて常夜灯として機能することができる。
【００３４】
［変形例２］
図６は、変形例２における、装着ユニット７０の機能構成４００を例示する図である。
図６に例示するように、機能構成４００は、図５の機能構成３００にスイッチ４０８を追加したものである。スイッチ４０８は、装着ユニット７０の着脱を検知する着脱検知部の一例であり、装着部位に設けられたスイッチである。なお、本図に示される各構成のうち、図５に示された各構成と実質的に同一のものには同一の符号が付されている。
以下、本図に示される各構成のうち、図５に示された構成と異なるものについて説明する。
【００３５】
スイッチ４０８は、建具本体１０に装着ユニット７０が装着されているか否かを物理的に検知する。より具体的には、スイッチ４０８は、建具本体１０に装着ユニット７０が装着されると、建具本体１０により押下される。このとき、制御部２０４は、スイッチ４０８が押下されたことに反応して、上記実施例又は変形例で述べた通りに照明器具１１０に蓄電部２０２により蓄電された電力を供給し、照明器具１１０を発光させる通常モードに切り替わる。通常モードとは、例えば、常夜灯モードのことであり、外部の明るさによって、点灯又は消灯する。逆に、スイッチ４０８が、建具本体１０に装着されず、建具本体１０により押下されないとき、制御部２０４は、スイッチ４０８が押下されていないことに反応して、照明器具１１０に蓄電部２０２により蓄電された電力を常時供給し、照明器具１１０をユーザの消灯操作が無い限り常時発光させる懐中電灯モードに切り替わる。なお、スイッチ４０８は、装着部１２０の建具本体１０に接触する部分に設けられる。
【００３６】
以上のような構成により、装着ユニット７０は、建具１の周囲が暗くなったとき、建具本体１０に装着されている場合は、照明器具１１０を常夜灯として機能させ、建具本体１０に装着されていない場合は、照明器具１１０を、常時発光させ、懐中電灯として機能させることができる。
【００３７】
［変形例３］
図７は、変形例３における、装着ユニット７０の機能構成５００を例示する図である。
図７に例示するように、機能構成５００は、図６の機能構成４００に振動検知部５１０を追加したものである。なお、振動検知部５１０は、装着ユニット７０の筐体１００内部に設けられた電気回路により実現される。また、本図に示される各構成のうち、図６に示された各構成と実質的に同一のものには同一の符号が付されている。
以下、本図に示される各構成のうち、図６に示された構成と異なるものについて説明する。
【００３８】
振動検知部５１０は、装着ユニット７０の筐体１００に伝わる振動を検知する。例えば、振動検知部５１０は、加速度センサーなどを用いて振動を検知する。そして、振動検知部５１０は、検知した振動の値（振動数及び振幅など）を制御部２０４に送信する。
制御部２０４は、振動検知部５１０から受信した振動の値が所定の閾値より大きい場合には、蓄電部２０２により蓄電された電力を、照明器具１１０に供給し、照明器具１１０を発光させる。このとき、制御部２０４は、筐体１００に振動が伝わらないときとは異なるパターンで、照明器具１１０を発光させる。例えば、制御部２０４は、所定の閾値より大きい振動が筐体１００に伝わると、照明器具１１０を点滅させたり、照明器具１１０の発光量を大きくしたり、又は発光させる照明器具１１０を切り換えたりする。なお、「所定の閾値」は、通常、人が建具１のそばを歩行したときに、建具１に装着された装着ユニット７０の筐体１００に伝わる振動の値であればよく、任意である。
【００３９】
以上のような構成により、装着ユニット７０は、建具１の周囲が暗くなったとき、照明器具１１０を、普段は、常夜灯として機能させ、誰かが建具１のそばを歩行したときには、その事を利用者に知らせるように、点滅などさせて警告灯として機能させる。例えば、利用者は、装着ユニット７０の発光パターンを確認することで、建具１のそばを老人が徘徊したこと、又は泥棒が入ったことなどを知ることができる。
【００４０】
［変形例４］
図８は、変形例４における、装着ユニット７０の機能構成６００を例示する図である。
図８に例示するように、機能構成６００は、図７の機能構成５００において、照度検知部３０６を、電力検知部６１２に置き換えたものである。なお、電力検知部６１２は、装着ユニット７０の筐体１００内部に設けられた電気回路により実現される。また、本図に示される各構成のうち、図７に示された各構成と実質的に同一のものには同一の符号が付されている。
以下、本図に示される各構成のうち、図７に示された構成と異なるものについて説明する。
【００４１】
電力検知部６１２は、蓄電部２０２に蓄電される電力を検知する。本変形例では、電力検知部６１２は、電力センサーなどを用いて、電力入力部１３０から蓄電部２０２に供給される電力を検知する。そして、電力検知部６１２は、検知した電力の値を制御部２０４に送信する。
制御部２０４は、電力検知部６１２から受信した電力の値が所定の閾値より小さい場合には、蓄電部２０２により蓄電された電力を、照明器具１１０に供給し、照明器具１１０を発光させる。また、制御部２０４は、電力検知部６１２から受信した電力の大きさを表す値が所定の閾値より大きい場合には、蓄電部２０２により蓄電された電力を、照明器具１１０に供給せず、照明器具１１０を発光させない。なお、「所定の閾値」は、建具１に当たる太陽光が弱まり、発電部４０が十分な発電を行えなくなったときの蓄電部２０２に蓄電される電力の値であればよく、任意である。
【００４２】
以上のような構成により、装着ユニット７０は、建具１に当たる太陽光が弱まり、発電部４０が十分な発電を行えなくなったとき、つまり、建具１の周囲が暗くなってきたとき、常夜灯として照明器具１１０を発光させることができる。また逆に、建具１に当たる太陽光により発電部４０が十分な発電を行えるとき、つまり、建具１の周囲が明るいときは、装着ユニット７０は、照明器具１１０を発光させず、蓄電部２０２への蓄電に専念することができる。
【００４３】
［変形例５］
図９は、変形例５における、装着ユニット７２を正面から見た模式図である。
図９に例示するように、装着ユニット７２は、図３の装着ユニット７０において、照明器具１１０を電力出力部７４０に置き換えたものである。なお、本図に示される各構成のうち、図３に示された各構成と実質的に同一のものには同一の符号が付されている。以下、本図に示される各構成のうち、図３に示された構成と異なるものについて説明する。
【００４４】
電力出力部７４０は、制御部２０４から供給される電力を電化製品７００に渡す。本変形例では、電力出力部７４０は、コンセントを介して、電化製品７００に電力を渡しているが、装着ユニット７０から電化製品７００に電力を渡す手段は、これに限定するものではない。電力出力部７４０は、コンセント以外のインターフェースを有する接続端子を介して、電化製品７００に電力を渡してもよい。
【００４５】
以上のような構成により、装着ユニット７２は、外付けの電化製品７００に、蓄電部２０２により蓄電された電力を渡すことができる。
【符号の説明】
【００４６】
１      建具
１０    建具本体
２０    骨組
３０    半透明シート
４０    発電部
５０    電線
６０    接続部
７０    装着ユニット
７２    装着ユニット（変形例５）
１００  筐体
１１０  照明器具
１２０  装着部
１３０  電力入力部
２００  装着ユニット７０の機能構成
２０２  蓄電部
２０４  制御部
３００  装着ユニット７０の機能構成（変形例１）
３０６  照度検知部
４００  装着ユニット７０の機能構成（変形例２）
４０８  スイッチ
５００  装着ユニット７０の機能構成（変形例３）
５１０  振動検知部
６００  装着ユニット７０の機能構成（変形例４）
６１２  電力検知部
７００  電化製品
７４０  電力出力部
【図１】
2011099199.tif 000003
【図２】
2011099199.tif 000004
【図３】
2011099199.tif 000005
【図４】
2011099199.tif 000006
【図５】
2011099199.tif 000007
【図６】
2011099199.tif 000008
【図７】
2011099199.tif 000009
【図８】
2011099199.tif 000010
【図９】
2011099199.tif 000011